(57)【要約】【課題】ごみを収集場所で収集されて廃棄処分するのにあたり、収集場所周囲の環境に悪影響を及ぼすことなく衛生的で、使い勝手を良くすることができるごみ箱を提供する。【解決手段】底面４と、第１側面２と第２側面３とをそれぞれ２つ有し、底面４と２つの第２側面３とを折り畳み可能に構成した五面体形状で形成されていること、可燃ごみを収容するごみ袋２１の袋内収容部２２に収容した後、折り畳まれた底面４及び２つの第２側面３を拡げて五面体形状に変形させたごみ箱１を、底面４で支えてごみ袋２１の袋内収容部２２で立設させたとき、ごみ箱１がこの立設状態を維持できていること、ごみ箱１は、厚紙等の紙面に、可燃性樹脂によるラミネートフィルムを被覆してなることを特徴とする。【選択図】 図１
2015137146.tif 000002
【特許請求の範囲】
【請求項１】
底面と、該底面と接続し、少なくとも一面からなる側面とを有し、前記底面と前記側面のうち、少なくとも一面を折り畳み可能に構成した多面体形状で形成されていること、
使用時に、折り畳まれた部分を拡げて多面体形状に変形させた当該ごみ箱を、前記底面で支えて立設させたとき、当該ごみ箱がこの立設状態を維持できていること、
当該ごみ箱は、可燃性の材質からなり、ごみと共に使い捨てされること、
を特徴とするごみ箱。
【請求項２】
請求項１に記載するごみ箱において、
当該ごみ箱には、
ごみから放たれる悪臭を消す消臭剤、または
かぐわしい香りを放ち、ごみからの悪臭をマスキングする芳香剤のうち、少なくとも一方が付着されていること、
を特徴とするごみ箱。
【請求項３】
請求項１または請求項２に記載するごみ箱において、
前記底面は四角形状であること、
ごみを収容するごみ袋内に収容した後、当該ごみ箱を前記ごみ袋内で立設させたとき、前記底面の面積が前記ごみ袋内で最大となり得るよう、使用する前記ごみ袋に対応させて、前記底面の縦寸法と前記底面の横寸法がそれぞれ設定されていること、
を特徴とするごみ箱。
【発明の詳細な説明】
【技術分野】
【０００１】
この発明は、主に一般家庭や単身者等の住居から定期的に出されるごみとして、例えば、生ごみ、紙屑、使用済雑巾等の可燃ごみや、包装用樹脂製トレー等のリサイクル使用可能な資源ごみのほか、これらの種別に属さない不燃ごみを、収容して収集されるごみ袋の内部にセットして、このごみ袋と共に廃棄処分される等、使い捨てタイプのごみ箱に関する。
【背景技術】
【０００２】
例えば、娯楽施設、野外ＢＢＱ施設、観光地、ショッピングセンター等、大勢の人が集まる場所では、ごみ箱は、美観や利便性等を考慮して、専用のごみ容器の内部にごみ袋を装着して設置されている。そのごみ容器の一例に、特許文献１に開示されたダストボックスがある。特許文献１は、手前の側板をヒンジ付ドアで構成して開閉可能とし、このヒンジ付ドアの内側面に、開口部を拡げた状態にしてごみ袋を保持させるごみ保持具を設け、天板のごみ投入口から投入したごみを、開口部に落下させごみ袋に収容させる六面体形状のごみ容器である。
【０００３】
他方、一般家庭や単身者等の住居から出る可燃ごみについて、ごみの分別基準や、指定のごみ袋を使用するか否かは、各自治体によって異なるものの、住人が、ごみを収容したごみ袋をそのまま、決められた日時と場所に置いておけば、集められたこれら全てのごみ袋が、業者によって収集される。住居が特に集合住宅等の場合、ごみ収集場所では、ごみを収容したごみ袋は収集直前に、全世帯分まとめて山積みされた状態で置かれている。これらのごみ袋を個々に観察してみると、住人の中には、ごみ袋の容量満杯にごみを収容することで、ごみ袋全体が不安定な形状に膨らんだ態様となって、このごみ袋をごみ収集場所に出す住人がいる。また、収容するごみの量をごみ袋の容量より少なくし、ごみ袋全体が自在に変形できる態様で、このごみ袋を収集場所に出す住人もいることが分かっている。
【先行技術文献】
【特許文献】
【０００４】
【特許文献１】特開平９−２０２４０３号公報
【発明の概要】
【発明が解決しようとする課題】
【０００５】
しかしながら、住人から出された可燃ごみが収集されるまでの過程で、以下のような問題があった。
（１）ごみ袋に生ごみが収容されていると、その悪臭によりハエやコバエ、ゴキブリ等の害虫が、収集されたごみ袋周辺に寄り添って来て、衛生上、問題となる。
（２）ごみ袋に収容されたごみの中に、例えば、割り箸等、尖った形状の廃棄物を含むごみが、ビニール製のごみ袋に、容量満杯に詰め込んで収容されていると、この廃棄物の尖端でごみ袋が破れてしまうことがある。また、生ごみが収容されたごみ袋が、そのままの状態でごみ収集場所に置かれていると、収集されるまでの間に、カラスや猫等がごみ袋を突いて、ごみ袋が破れてしまうことがある。このようなごみ袋の破損により、袋内のごみが収集場所周辺に散乱してしまうほか、生ごみから生じて袋内に溜まっていた水、汁、油分等の液体が、ごみ袋から漏洩して、住居周辺に悪臭が拡散し、衛生上、問題となる。
【０００６】
（３）上記（１）、（２）の問題の解決策の一つに、特許文献１のダストボックスのほか、有底筒状で蓋付きのごみ容器内にごみ袋を装着すれば、ごみ袋に収容されたごみは、このごみ容器により外部に晒されることはない。しかしながら、ごみ容器内の限られたスペースに装着されたごみ袋には、そもそもごみがごみ袋の最大容量まで収容できない場合がある。また、ごみが満杯に詰め込まれたごみ袋を、ごみ容器から取り出すのに困難を伴う場合がある。すなわち、ごみが詰め込まれたごみ袋が重くなり過ぎて、住人が女性や高齢者等であると、このごみ袋を、ごみ容器から取り出すことができる高さまで持ち上げることができない場合や、ごみ袋全体が大きく膨らんでしまっているため、このごみ袋がごみ容器に引っ掛かってスムーズに取り出せない場合である。さらに、ごみが収容されたごみ袋をごみ容器から取り出した後、汚れて、不快な臭いが残っているこのごみ容器に、新しいごみ袋を装着するごみ袋の交換作業をしなければならず、特に若い女性は近年、この作業を不快と感じており、何らかの改善を望んでいた。
（４）ごみを収容したごみ袋が、ごみ収集場所に、山積みされた状態で置かれていると、強い風雨等による影響のほか、高い位置に積み載せられたごみ袋がバランスを失うことにより、ちょうど雪崩のように、山積みされたごみ袋が、歩道や道路まで崩れ落ちてしまい、通行に障害をもたらすことがある。また、山積みされたごみ袋が、崩れ落ちて広範囲に亘って散乱してしまうと、ごみ袋全ての収集作業に、手間が掛かってしまい、問題となっている。
【０００７】
本発明は、上記問題点を解決するためになされたものであり、ごみを収集場所で収集されて廃棄処分するのにあたり、収集場所周囲の環境に悪影響を及ぼすことなく衛生的で、使い勝手を良くすることができるごみ箱を提供することを目的とする。
【課題を解決するための手段】
【０００８】
本発明に係るごみ箱は、上記目的を達成するために、以下の構成を有する。
（１）底面と、該底面と接続し、少なくとも一面からなる側面とを有し、前記底面と前記側面のうち、少なくとも一面を折り畳み可能に構成した多面体形状で形成されていること、使用時に、折り畳まれた部分を拡げて多面体形状に変形させた当該ごみ箱を、前記底面で支えて立設させたとき、当該ごみ箱がこの立設状態を維持できていること、当該ごみ箱は、可燃性の材質からなり、ごみと共に使い捨てされること、を特徴とする。
なお、本発明に係るごみ箱では、「多面体形状」の概念は、底面と側面で囲まれたごみ箱内収容部の形状を意味するものである。この底面と対向する位置は、ごみの投入口となる開口である。従って、側面が、例えば、４つの場合には、この開口を閉塞する蓋の有無に拘わらず、ごみ箱内収容部の形状は五面体形状である。なお、この場合、蓋が面状に形成されていれば、本発明に係るごみ箱全体の形状は六面体形状になるが、蓋が、例えば、メッシュ状等で形成され、面を構成していない場合には、当該ごみ箱全体の形状は蓋付きの五面体形状であると定義する。
（２）（１）に記載するごみ箱において、当該ごみ箱には、ごみから放たれる悪臭を消す消臭剤、またはかぐわしい香りを放ち、ごみからの悪臭をマスキングする芳香剤のうち、少なくとも一方が付着されていること、を特徴とする。
（３）（１）または（２）に記載するごみ箱において、前記底面は四角形状であること、ごみを収容するごみ袋内に収容した後、当該ごみ箱を前記ごみ袋内で立設させたとき、前記底面の面積が前記ごみ袋内で最大となり得るよう、使用する前記ごみ袋に対応させて、前記底面の縦寸法と前記底面の横寸法がそれぞれ設定されていること、を特徴とする。
【発明の効果】
【０００９】
上記構成を有する本発明のごみ箱の作用・効果について説明する。
（１）底面と、該底面と接続し、少なくとも一面からなる側面とを有し、底面と側面のうち、少なくとも一面を折り畳み可能に構成した多面体形状で形成されていること、使用時に、折り畳まれた部分を拡げて多面体形状に変形させた当該ごみ箱を、底面で支えて立設させたとき、当該ごみ箱がこの立設状態を維持できていること、当該ごみ箱は、可燃性の材質からなり、ごみと共に使い捨てされること、を特徴とする。これにより、本発明のごみ箱は、ごみ袋との共用の有無に拘わらず、限られたスペースのごみ収集場所に、不安定な状態でランダムに山積みされることなく、安定した自立状態で、整理整頓して置くことができるため、ごみを収集する作業性が良くなると共に、このごみ収集場所が所在する街の景観は向上する。
【００１０】
そして、本発明のごみ箱を、従来のごみ袋内に収容して用いる場合には、当該ごみ箱内に収容されたごみの中に、例えば、割り箸等、尖った形状の廃棄物を含むごみが、当該ごみ箱内に、容量満杯に詰め込んで収容されていても、この廃棄物の尖端でごみ袋が破れてしまうことを抑制することができる。また、ごみ袋内に収容された本発明のごみ箱に生ごみを入れ、そのままの状態で本発明のごみ箱が、ごみの収集時までごみ収集場所に置かれていても、本発明のごみ箱を収容したごみ袋は、カラスや猫等の突きによって、危害を受けることはない。よって、ごみ袋内のごみが収集場所周辺に散乱してしまうことや、生ごみから生じてごみ袋内で溜まっていた水、汁、油分等の液体が、ごみ袋から漏洩して住居周辺に悪臭を放つこともなく、衛生的なごみ箱となり得る。また、本発明のごみ箱は、ごみを入れる前にごみ袋内にセットされ、ごみを当該ごみ箱内に入れたら、そのまま廃棄処分されるため、従来、ごみが詰め込まれたごみ袋をごみ容器から取り出す作業が全く不要になり、女性や高齢者等の住人にとって使い勝手が良い。また、従来、ごみが収容されたごみ袋をごみ容器から取り出した後、汚れて、不快な臭いが残っているこのごみ容器に、新しいごみ袋を装着するごみ袋の交換作業をしなければならず、特に若い女性は、この作業を不快と感じていたが、本発明のごみ箱は、ごみを収容したごみ袋と共に使い捨てであるため、このような不快感を抱くことはない。
【００１１】
また、自治体でごみを収集するのにあたり、自治体でごみ袋を特に指定していない地域では、ごみ袋を使用せず、本発明に係るごみ箱にごみを収容し、そのままごみ収集場所に本発明に係るごみ箱を出すことができる。すなわち、従来、例えば、住居の各部屋からそれぞれ出たごみは、各部屋に設置されたごみかご等から、ごみ収集場所に出す所定のごみ袋にまとめて移し替えられてきたが、本発明に係るごみ箱は、ごみ収集場所に出すことができるため、住居においてこのようなごみの回収作業が不要になる。特に、子供部屋に設置されたごみかご等には、鉛筆の芯の削り屑（黒鉛等）が入っている場合があり、この芯の削り屑が、ごみ回収作業時にこぼれて住居の床等を汚してしまうことがある。このような場合、ごみかご等に代えて、本発明に係るごみ箱を子供部屋に設置し、鉛筆の芯の削り屑を含むごみが、本発明に係るごみ箱に収容され、そのままの状態で、本発明に係るごみ箱をごみ収集場所に出せば、上記回収作業は不要なため、住居の床等が汚れることもない。
従って、本発明に係るごみ箱によれば、ごみを収集場所で収集されて廃棄処分するのにあたり、収集場所周囲の環境に悪影響を及ぼすことなく衛生的で、使い勝手を良くすることができる、という優れた効果を奏する。
【００１２】
（２）当該ごみ箱には、ごみから放たれる悪臭を消す消臭剤、またはかぐわしい香りを放ち、ごみからの悪臭をマスキングする芳香剤のうち、少なくとも一方が付着されていること、を特徴とする。これにより、本発明のごみ箱に収容したごみのうちの生ごみから悪臭が生じても、この悪臭は、消臭剤または芳香剤により、生ごみの入った本発明のごみ箱を収容したごみ袋周辺に、拡散するのを抑制することができるため、防虫効果がある。また、生ごみからの悪臭に起因して、ハエやコバエ、ゴキブリ等の害虫が、このようなごみ袋周辺に寄り添って来ることが抑えられ、衛生上、好ましい。また、ごみを捨てる住人が特に若い女性等の場合、生ごみからの悪臭で、これまでごみの廃棄処分作業を不快と感じている人もいたが、本発明のごみ箱に芳香剤が付着されていることにより、生ごみからの悪臭をマスキングして、かぐわしい香りが放たれるため、ごみの廃棄処分作業を不快と感じる人が少なくなる。
【００１３】
（３）底面は四角形状であること、ごみを収容するごみ袋内に収容した後、当該ごみ箱をごみ袋内で立設させたとき、底面の面積がごみ袋内で最大となり得るよう、使用するごみ袋に対応させて、底面の縦寸法と底面の横寸法がそれぞれ設定されていること、を特徴とする。これにより、本発明のごみ箱を介してごみを収容したごみ袋は、ごみ収集場所に、安定した直方体形状の形態で置くことができ、このごみ収集場所のスペースを有効に利用することができる。また、ごみ袋内に収容できる容量を最大限利用することが簡単にでき、ごみを、本発明のごみ箱を介してごみ袋の容量満杯になるまで収容することが容易になり、無駄なくごみを廃棄処分できる。
【図面の簡単な説明】
【００１４】
【図１】実施形態に係るごみ箱をごみ袋内にセット完了した状態を示す斜視図である。
【図２】実施形態に係るごみ箱の構成を説明する斜視図である。
【図３】図２中、Ａ−Ａ矢視断面図である。
【図４】実施形態に係るごみ箱を、折り畳んだ使用前の状態を示す斜視図である。
【図５】実施形態に係るごみ箱をごみ袋内にセットする過程を示す説明図である。
【図６】図５に続く過程を示す説明図である。
【発明を実施するための形態】
【００１５】
以下、本発明に係るごみ箱について、実施形態を図面に基づいて詳細に説明する。本実施形態のごみ箱は、主に一般家庭や単身者等の住居から定期的に出される可燃ごみを収集場所に集められて廃棄処分するのにあたり、本出願人が住む地域の自治体で指定されている専用の可燃ごみ用ごみ袋内にセットされ、当該ごみ箱内に可燃ごみを収容して、可燃ごみ用ごみ袋と共に廃棄処分する使い捨てタイプのごみ箱である。また、本実施形態で用いる可燃ごみ用ごみ袋のサイズは、結束部及び取手部を除いた袋内の大きさとして、幅が約５００ｍｍ、深さが約６８０ｍｍの樹脂製袋である。
【００１６】
なお、本実施形態では、廃棄処分するごみを、例えば、生ごみ、紙屑、使用済雑巾等の可燃ごみとしたが、ごみの種別は可燃ごみに限らない。例えば、包装用樹脂製トレー、ビニール製手さげ袋、潰した状態のペットボトル等のリサイクル使用可能な資源ごみのほか、可燃ごみや資源ごみに属さない種別で、破損した食器やガラス容器等、自治体で不燃ごみと定められているごみであっても良い。また、ごみ袋は、本実施形態で用いる可燃ごみ用ごみ袋のサイズに限定されるものではない。また、ごみ袋は、自治体で指定された専用の袋に限らず、自治体でごみ袋を指定していない地域で任意に使用される袋であっても良い。また、自治体でごみを収集するのにあたり、ごみ袋を自治体で特に指定していない地域では、ごみ袋を使用せず、本発明に係るごみ箱にごみを収容してそのまま、ごみ収集場所に出す使い方をしても良い。この場合、後述するごみ箱の開口に、開閉可能な蓋が設けられていることが好ましい。
【００１７】
次に、本実施形態のごみ箱について説明する。図１は、実施形態に係るごみ箱をごみ袋内にセット完了した状態を示す図である。図２は、図１に示すごみ箱の構成を説明する図であり、図２中、Ａ−Ａ矢視断面図を図３に示す。図４は、図２に示すごみ箱を、折り畳んだ使用前の状態を示す図である。図５は、実施形態に係るごみ箱をごみ袋内にセットする過程を示す説明図である。なお、図１以降の各図は、図を見易くするため、ごみ箱とごみ袋の厚みを略して図示している。
【００１８】
ごみ箱１は、図１及び図２に示すように、四角形状の底面４と、この底面４の各辺をそれぞれ一辺に含んで接続する４つの側面（第１側面２が２つ、第２側面３が２つ）とを有し、２つの第１側面２と底面４とが折り畳み可能に構成されている。具体的には、本実施形態では、外部からごみ箱１を見たとき、２つの第１側面２と底面４とが何れも、中央で谷折りに折り込まれており、ごみ箱１を使用する前に保管しておくとき、２つの第１側面２と底面４が折り畳まれた状態では、図４に示すように、ごみ箱１は、平面的な略シート状になっている。また、図示していないが、上記４つの側面の少なくとも一面には、宣伝用広告が掲載されている。また、本実施形態では、ごみ箱１は、カラスの目に映るある種の波長をカットすることにより、カラスの目に見え難くいとされている特殊な黄色となっている。なお、ごみ箱１の色は、上記特殊な黄色に限定されるものではなく、種々変更可能である。
【００１９】
一方、ごみ箱１を使用するとき、折り畳まれている２つの第１側面２と底面４とが拡げられて変形されると、図２に示すように、ごみ箱１は、廃棄処分するごみ（図示せず）の投入口となる開口７を有した五面体形状に形成される。このごみ箱１は、前述した可燃ごみ用ごみ袋のサイズ（幅が約５００ｍｍ、深さが約６８０ｍｍ）に対応した大きさになっており、本実施形態では、底面４の縦寸法ａが３２０ｍｍ、底面４の横寸法ｂが２１０ｍｍ、側面２，３の高さが４７０ｍｍである。すなわち、図１に示すように、ごみ箱１がごみ袋２１内に収容して立設されたとき、底面４の面積Ｓ（寸法ａ×寸法ｂの積）がごみ袋２１内で最大となり得るよう、収容するごみ袋２１に対応させて、底面４の縦寸法ａと底面４の横寸法ｂがそれぞれ設定されている。また、ごみ箱１の高さは、当該ごみ箱１をごみ袋２１の袋内収容部２２に収容したとき、袋内収容部２２を結束部２４等で完全に閉塞できる範囲内に設定されている。
【００２０】
なお、縦寸法ａと横寸法ｂとの一方が１８５ｍｍを満たし、その他方が２６０ｍｍを満たした寸法であることが好ましい。その理由として、単身者等の住人が、やむを得なくＢ５判（１８２ｍｍ×２５７ｍｍ）サイズの週刊誌や一般雑誌等をごみ袋２１に入れて廃棄することがある。ごみ箱１が、Ｂ５判サイズよりやや大きい縦横寸法に形成されていれば、ごみ箱１の容積を有効に使い、ごみ箱１内で週刊誌等を、その厚み方向に沿って積み重ねて収容し、廃棄することができるからである。
【００２１】
ごみ箱１は、可燃性の材質からなる。具体的には、本実施形態では、ごみ箱１は、厚さ約１〜２ｍｍの厚紙または竹紙であり、その紙面には、図３に示すように、撥水性を有するラミネートフィルムが、約０．１７〜０．２５ｍｍの膜厚で被覆されている。ラミネートフィルムの材質は、例えば、ポリプロピレン（Polypropylene）(PP)、ポリエステル（Polyester）、ポリエチレンテレフタレート（Polyethylene terephthalate）（PET）等、安価な可燃性樹脂である。生ごみから生じる水、汁、油分等の液体が、このラミネートフィルムにより、ごみ袋２１の袋内収容部２２外部に漏れ難くなっていると共に、ごみ箱１の素材である厚紙等に吸収され易くなっている。
【００２２】
また、このごみ箱１には、ごみから放たれる悪臭を消す消臭剤１１と、かぐわしい香りを放ち、ごみからの悪臭をマスキングする芳香剤１２が、当該ごみ箱１の表面に付着されている。具体的には、本実施形態では、消臭剤１１は、底面４全域と、２つの第１側面２及び２つの第２側面３のうち、それぞれ底面４から開口７側に約２００ｍｍの位置までの領域である下方領域９（図３では細かいドッドで表示）で、ラミネートフィルム表面に付着されている。消臭剤１１には、例えば、脱臭効果と除湿効果を有する重曹を澱粉糊と混ぜてジェル状にしたもののほか、市販の消臭剤等が用いられている。
【００２３】
また、芳香剤１２は、２つの第１側面２及び２つの第２側面３のうち、それぞれ開口７から底面４側に約２００ｍｍの位置までの領域である上方領域８（図３では粗いドッドで表示）に散布され、ラミネートフィルム表面に付着されている。芳香剤１２は、例えば、ミント、ラベンダー、フローラル等、人にとって心地よい香りを放つ市販の芳香剤である。なお、例えば、上方領域８と下方領域９との間に位置する第１側面２，２と第２側面３，３に、ハエやコバエ、ゴキブリ等の害虫を寄せ付けない防虫剤が付着されていても良い。
【００２４】
本実施形態のごみ箱１の使用方法について、説明する。図６は、図５に続く過程を示す説明図である。ごみ箱１が保管されている状態では、ごみ箱１は、図４に示すように、略シート状になっている。ごみ箱１は、可燃ごみをごみ袋２１に入れる前に、ごみ袋２１の袋内収容部２２に収容される。はじめに、図５に示すように、ごみ袋２１では、袋内収容部２２を膨らませた状態にしておくと共に、ごみ箱１の開口７を少し拡げておき、底面４を下方位置に向けてごみ箱１をこの袋内収容部２２に収容する。このとき、第２側面３が側面折り目５で、底面４が底面折り目６で、それぞれ半分程度に谷折りされたまま、対向する第１側面２，２同士を近接させ、ごみ箱１を比較的コンパクトな形態になっていると、ごみ箱１はごみ袋２１の袋内収容部２２に入り易くなる。また、図６に示すように、側面折り目５と底面折り目６とを外側に押し出すだけで、２つの第２側面３と底面４とが平面的に拡がり、ごみ袋２１の袋内収容部２２に収容されたごみ箱１は、図５に示す形態から、ごみ箱内収容部１０が最大容積となる形態（図１に示す形態）になるまで、１つの工程で簡単に拡張することができる。
【００２５】
ごみ箱内収容部１０を最大容積まで拡張したごみ箱１は、ごみ袋２１の袋内収容部２２において底面４で支えて立設でき、この立設状態を維持できている。このようなごみ箱１がごみ袋２１の袋内収容部２２に収納された状態では、ごみ袋２１は、図１に示すように、幾何学上、下方両端位置に必然的に生じる余剰部２５を除く袋内収容部２２の容積を、最大限有効に利用できる。可燃ごみは、このごみ箱１の開口７からごみ箱内収容部１０に、容量満杯を超えない範囲で収容される。そして、可燃ごみがごみ袋２１からこぼれ落ちないよう、袋内収容部２２の最上端から延びる２つの結束部２４同士を互いに結ぶ。また、必要に応じて、袋内収容部２２の最上端から延びる２つの取手部２３同士も互いに結ぶ。かくして、可燃ごみが、ごみ袋２１の袋内収容部２２に収容されているごみ箱１のごみ箱内収容部１０に収容されると、ごみ箱１に収容された可燃ごみを含むごみ袋２１全体が、収集されるまでの間、可燃ごみの収集場所に、立設されたまま置いておくことができる。従って、業者は、立設した状態のこのごみ袋２１を収集し収集車に載せることができる。
【００２６】
以上、詳細に説明したように本実施の形態に係るごみ箱１では、底面４と、第１側面２と第２側面３とをそれぞれ２つ有し、底面４と２つの第２側面３とを折り畳み可能に構成した五面体形状で形成されていること、可燃ごみを収容するごみ袋２１の袋内収容部２２に収容した後、折り畳まれた底面４及び２つの第２側面３を拡げて五面体形状に変形させたごみ箱１を、底面４で支えてごみ袋２１の袋内収容部２２で立設させたとき、ごみ箱１がこの立設状態を維持できていること、ごみ箱１は、厚紙等の紙面に、可燃性樹脂によるラミネートフィルムを被覆してなり、ごみと共に使い捨てされることを特徴とする。これにより、ごみ袋２１の袋内収容部２２に収容されたごみ箱１は、限られたスペースのごみ収集場所に、不安定な状態でランダムに山積みされることなく、安定した自立状態で、整理整頓して置くことができるため、ごみを収集する作業性が良くなると共に、このごみ収集場所が所在する街の景観は向上する。
【００２７】
そして、ごみ箱１のごみ箱内収容部１０に収容された可燃ごみの中に、例えば、割り箸等、尖った形状の廃棄物を含むごみが、ごみ箱内収容部１０に、容量満杯に詰め込んで収容されていても、この廃棄物の尖端でごみ袋２１が破れてしまうことはない。また、ごみ箱１に生ごみを収容したごみ袋２１が、そのままの状態でごみ収集場所に置かれている間に、カラスや猫等が突いて、ごみ袋２１が破れてしまうことがない。よって、ごみ袋２１の破損により、袋内収容部２２内の可燃ごみが収集場所周辺に散乱してしまうことや、生ごみから生じて袋内収容部２２内で溜まっていた水、汁、油分等の液体が、ごみ袋２１から漏洩して住居周辺に悪臭を放つこともなく、衛生的なごみ箱１となり得る。
【００２８】
また、ごみ箱１は、可燃ごみをごみ袋２１に入れる前に、ごみ袋２１の袋内収容部２２にセットされ、可燃ごみをごみ箱内収容部１０に入れて、そのまま廃棄処分されるため、従来、ごみが詰め込まれたごみ袋をごみ容器から取り出す作業が全く不要となり、女性や高齢者等の住人にとって使い勝手が良い。また、従来、ごみが収容されたごみ袋をごみ容器から取り出した後、汚れて、不快な臭いが残っているこのごみ容器に、新しいごみ袋を装着するごみ袋の交換作業をしなければならず、特に若い女性は、この作業を不快と感じていたが、ごみ箱１は、可燃ごみを収容したごみ袋２１と共に使い捨てであるため、このような不快感を抱くことはない。また、透明のごみ袋２１の袋内収容部２２に収容したごみ箱１は、透けない厚紙等の紙面にラミネートフィルムを被覆して構成されている。そのため、若い女性等の住人が捨てるごみの中に、他者に見られたくない廃棄物がある場合でも、ごみ箱１のごみ箱内収容部１０に捨てられた上記廃棄物は、それを隠す処理を特に施さなくても、外部からごみ袋２１を通じて他者に見られることなく、そのまま捨てることができる。
従って、本実施形態に係るごみ箱１によれば、ごみを収容したごみ袋２１を、収集場所で収集されて廃棄処分するのにあたり、ごみ袋２１と共に用いられ、収集場所周囲の環境に悪影響を及ぼすことなく衛生的で、使い勝手を良くすることができる、という優れた効果を奏する。
【００２９】
また、本実施形態のごみ箱１では、消臭剤１１が、当該ごみ箱１の下方領域９に付着されていると共に、芳香剤１２が、当該ごみ箱１の上方領域８に付着されているので、ごみ箱１に収容した可燃ごみの中に入っている生ごみから悪臭が生じても、この悪臭は、消臭剤１１や芳香剤１２により、生ごみの入ったごみ箱１を収容したごみ袋２１周辺に拡散するのを抑制することができるため、防虫効果がある。また、生ごみからの悪臭に起因して、ハエやコバエ、ゴキブリ等の害虫が、このようなごみ袋２１周辺に寄り添って来ることが抑えられ、衛生上、好ましい。ごみを捨てる住人が特に若い女性等の場合、生ごみからの悪臭で、これまでごみの廃棄処分作業を不快と感じている人もいたが、ごみ箱１に芳香剤１２が付着されていることにより、生ごみからの悪臭をマスキングして、かぐわしい香りが放たれるため、ごみの廃棄処分作業を不快と感じる人が少なくなる。
【００３０】
また、本実施形態のごみ箱１では、ごみ袋２１の袋内収容部２２に収容して立設されたとき、四角形状の底面４の面積Ｓ（寸法ａ×寸法ｂの積）が袋内収容部２２で最大となり得るよう、収容するごみ袋２１に対応させて、底面４の縦寸法ａと底面４の横寸法ｂがそれぞれ設定されていることを特徴とする。これにより、ごみ箱１のごみ箱内収容部１０を介して袋内収容部２２に可燃ごみを収容したごみ袋２１は、ごみ収集場所に、安定した直方体形状の形態で置くことができ、このごみ収集場所のスペースを有効に利用することができる。
【００３１】
すなわち、住居が特に集合住宅等で、複数世帯分の全ごみ袋２１を１箇所にまとめて置くごみ収集場所では、このような複数世帯分の全ごみ袋２１に、本実施形態のごみ箱１を用いれば、ごみ収集場所におけるデッドスペースの発生を極力抑えて、直方体形状になったごみ袋２１は、ごみ収集スペースにおける幅、奥行き、及び高さに沿って、複数の全世帯分、ごみ収集場所にきちんと整列させて置くことができる。そのため、このような複数世帯分の全ごみ袋２１がごみ収集場所から歩道や道路まで崩れ落ちてしまうことに起因して、通行に障害をもたらすことが抑止できる。
【００３２】
また、従来、山積みされたごみ袋がごみ収集場所から歩道や道路まで崩れ落ちてしまうことで、街の景観が著しく損なわれていたが、本実施形態のごみ箱１を用いたごみ袋２１は、複数の全世帯分、ごみ収集場所にきちんと整列させて置くことができるため、街全体で、ごみ袋２１と共にごみ箱１が用いられると、街全体の景観が良くなる。また、ごみ収集場所に集められた複数世帯分の全ごみ袋２１が、強い風雨等による影響のほか、バランスを失って広範囲に亘って散乱してしまうことがないため、業者によるごみ袋２１全ての収集作業が簡素化できる。また、ごみ袋２１の袋内収容部２２に収容できる容量を最大限利用することが簡単にでき、ごみを、ごみ箱１を介してごみ袋２１の容量満杯になるまで収容することが容易になり、無駄なくごみを廃棄処分できる。
【００３３】
また、本実施形態では、ごみ箱１の第１側面２，２、第２側面３，３、及び底面４のいずれかに、宣伝用広告が掲載されていることを特徴とする。これにより、ごみ箱１の製造コストの一部が、広告掲載料で賄うことができるため、ごみ箱１を使用する人に向けたこのごみ箱１の販売価格は、安価になる。ひいては、広告を掲載した業者の知名度は上がり、広告宣伝効果は高くなると共に、ごみ箱１を使用する人の経済的負担がより小さくできる。
【００３４】
以上において、本発明を実施形態に即して説明したが、本発明は上記実施形態に限定されるものではなく、その要旨を逸脱しない範囲で、適宜変更して適用できる。
（１）例えば、実施形態では、ごみ箱１を、素材を紙製とし、その紙面に樹脂製のラミネートフィルムを被覆したが、本発明のごみ箱を構成する材質は、実施形態に限らず、例えば、ポリエチレンテレフタレート（Polyethylene terephthalate）（PET）製等、ごみ袋内で立体的形状を維持できると共に、可燃性で安価な材質であれば良い。
（２）また、実施形態では、２つの第２側面３と底面４を谷折りに構成することにより、使用前のごみ箱１を平面的な略シート状としたが、本発明のごみ箱の折り畳み方法について、本発明のごみ箱は、使用前の状態で、平面的な略シート状となっていれば良く、使用時に、ごみ袋内に収容されて変形させた形状が、五面体形状になっていれば良い。また、使用時における本発明のごみ箱の形状は、五面体形状に限らず、例えば、八面体形状、側面が円筒面形状等の多面体形状でも良い。また、側面及び底面における継ぎ目の位置や、側面上端における折り返しの有無は、限定されるものではなく、適宜変更可能である。
（３）また、実施形態では、五面体形状に変形させたごみ箱１の開口７に、蓋を設けても良い。蓋は、カラスや猫等により、ごみ箱１内のごみを外部から荒らすことができない形状として、面状またはメッシュ状に形成され、自在に開閉できるものであれば良い。但し、蓋を設けた場合でも、本発明のごみ箱は、使用前の状態で、平面的な略シート状となっていると、かさばらないため、好ましい。また、蓋が、ごみ箱の開口を閉塞できる面状になっていると、ごみの臭気が外部に拡散するのを防止することができるため、好ましい。
【００３５】
（４）また、実施形態では、４つの側面（２つの第１側面２と２つの第２側面３）の少なくとも一面に、宣伝用広告を掲載したごみ箱１を例示したが、宣伝用広告の有無、宣伝用広告を掲載する面は、実施形態に限らず適宜変更可能である。
（５）また、実施形態では、２つの第１側面２、または２つの第２側面３のいずれかに一方向側の両側面に取手部を設けても良い。人が、手でこの取手部を保持して本発明のごみ箱を上げ下げすることができるからである。特に、この取手部が、外部側表面の一部を、屈曲または凹設して形成されていると、取手部が、上記外部側表面の一部を穿孔して形成される場合と比較して、取手部を通じたごみの臭気の拡散が防止でき、本発明のごみ箱の材質が特に樹脂の場合には、耐強度を大きくすることができる。
（６）また、実施形態では、住居から定期的に出される可燃ごみを、ごみ箱内収容部１０に収容するごみ箱１を挙げて説明したが、本発明のごみ箱は、野外施設でＢＢＱを行った後に生じるごみを収容するのに用いても良い。この場合、例えば、野外施設の運営者が、ＢＢＱの参加者に、ＢＢＱを行う前に前もって配っておき、ＢＢＱで生じたごみを参加者によって本発明のごみ箱に収容すること等を行うと、施設内の環境保全に貢献できると共に、施設内のごみ収集場所では、生ごみを含むごみが広範囲に散乱してしまうことを防止できるため、衛生的である。
【符号の説明】
【００３６】
１  ごみ箱
２  第１側面（側面）
３  第２側面（側面）
４  底面
ａ  底面の縦寸法
ｂ  底面の横寸法
１１  消臭剤
１２  芳香剤
２１  ごみ袋
【図１】
2015137146.tif 000003
【図２】
2015137146.tif 000004
【図３】
2015137146.tif 000005
【図４】
2015137146.tif 000006
【図５】
2015137146.tif 000007
【図６】
2015137146.tif 000008